(57)【要約】  【課題】動作条件を確実に設定できるセンサユニット13を備えた照明装置を提供する。  【解決手段】センサユニット13は、人感センサ35、照度センサ37、スイッチＡ，Ｂ，Ｃを有する。スイッチＡ，Ｂ，Ｃは、人感センサ35および照度センサ37の検知に基づいて光源の点灯状態を制御するための動作条件を設定する。スイッチＡ，Ｂ，Ｃの組み合わせが設定可能な動作条件のときには、設定された動作条件で光源の点灯状態を制御する。スイッチＡ，Ｂ，Ｃの組み合わせが設定不可能な動作条件のときには、光源を点滅させて報知する。  【選択図】図１
2006210270.tif 000002
【特許請求の範囲】
【請求項１】
光源を有する照明器具と；
人感センサ、照度センサ、これら人感センサおよび照度センサの検知に基づいて光源の点灯状態を制御する動作条件を切り換える複数のスイッチを有し、複数のスイッチの組み合わせが設定可能な動作条件のときには設定された動作条件で光源の点灯状態を制御し、複数のスイッチの組み合わせが設定不可能な動作条件のときには光源を点滅させるセンサユニットと；
を具備していることを特徴とする照明装置。
【請求項２】
光源を有する照明器具と；
人感センサ、照度センサ、これら人感センサおよび照度センサの検知に基づいて光源の点灯状態を制御する動作条件を切り換える複数のスイッチ、報知手段を有し、複数のスイッチの組み合わせが設定可能な動作条件のときには設定された動作条件で光源の点灯状態を制御し、複数のスイッチの組み合わせが設定不可能な動作条件のときには報知手段を動作させるセンサユニットと；
を具備していることを特徴とする照明装置。
【請求項３】
光源を有する照明器具と；
人感センサ、照度センサ、これら人感センサおよび照度センサの検知に基づいて照明状態を制御する動作条件を切り換える複数のスイッチを有し、複数のスイッチを特定の切換位置に切り換えて組み合わせることで照度に関係なく人感センサのみの検知に基づいて光源の点灯状態を制御するテストモードに設定するセンサユニットと；
を具備していることを特徴とする照明装置。
【請求項４】
センサユニットは、確認手段を有し、外部操作によって光源が連続点灯しているときには確認手段を動作させることを特徴とする請求項１ないし３いずれか一記載の照明装置。
【発明の詳細な説明】
【技術分野】
【０００１】
本発明は、人感センサおよび照度センサの検知に基づいて光源の点灯状態を制御する照明装置に関する。
【背景技術】
【０００２】
従来、人感センサおよび照度センサを有するセンサユニットを用い、人の有無や周囲の明るさなどに応じて、光源を点灯させたり消灯させる機能を備えた照明装置がある。
【０００３】
センサユニットでは、光源の点灯、消灯を、人の有無や周囲の明るさなどに応じて制御するための動作条件の設定が可能になっている。これは、センサユニットに液晶表示器を設け、この液晶表示器に各種の設定項目を表示し、その表示を確認しながら複数の操作釦を用いて、動作条件の設定が可能になっている（例えば、特許文献１参照。）。
【特許文献１】特開２００４−１５０８３４号公報（第５−１２頁、図１−９）
【発明の開示】
【発明が解決しようとする課題】
【０００４】
しかしながら、センサユニットに液晶表示器を設けるので、センサユニットが高価になる問題がある。
【０００５】
また、液晶表示器を用いずに、例えば複数のスイッチの組み合わせで動作条件を設定するようにした場合、設定不可能な動作条件を誤って設定しても確認できず、正常に動作させることができなくなってしまう。
【０００６】
本発明は、このような点に鑑みなされたもので、液晶表示器などを用いなくても、動作条件を確実に設定でき、安価にできる照明装置を提供することを目的とする。
【課題を解決するための手段】
【０００７】
請求項１記載の照明装置は、光源を有する照明器具と；人感センサ、照度センサ、これら人感センサおよび照度センサの検知に基づいて光源の点灯状態を制御する動作条件を切り換える複数のスイッチを有し、複数のスイッチの組み合わせが設定可能な動作条件のときには設定された動作条件で光源の点灯状態を制御し、複数のスイッチの組み合わせが設定不可能な動作条件のときには光源を点滅させるセンサユニットとを具備しているものであり、光源を点滅させて報知することで、液晶表示器などを用いなくても、設定不可能な動作条件を設定してしまうことがなく、安価に構成される。
【０００８】
なお、光源とは、白熱電球、蛍光ランプ、発光ダイオードなどをいう。人感センサとは、赤外線を利用して検知範囲内の人の存在を検知するものをいう。照度センサとは、明るさを検知する。スイッチとは、スライド式スイッチや回転式スイッチなどの切換可能なものをいう。
【０００９】
また、複数のスイッチの組み合わせが設定不可能な動作条件のときの光源の点滅とは、通常とは異なる間隔で点滅することをいう。
【００１０】
請求項２記載の照明装置は、光源を有する照明器具と；人感センサ、照度センサ、これら人感センサおよび照度センサの検知に基づいて光源の点灯状態を制御する動作条件を切り換える複数のスイッチ、報知手段を有し、複数のスイッチの組み合わせが設定可能な動作条件のときには設定された動作条件で光源の点灯状態を制御し、複数のスイッチの組み合わせが設定不可能な動作条件のときには報知手段を動作させるセンサユニットとを具備しているものであり、液晶表示器などを用いなくても、設定不可能な動作条件を設定してしまうことがなく、安価に構成される。
【００１１】
なお、報知手段は、スイッチユニットの動作状態を表示するためのパイロットランプのほか、どのような形態でもよい。
【００１２】
請求項３記載の照明装置は、光源を有する照明器具と；人感センサ、照度センサ、これら人感センサおよび照度センサの検知に基づいて照明状態を制御する動作条件を切り換える複数のスイッチを有し、複数のスイッチを特定の切換位置に切り換えて組み合わせることで照度に関係なく人感センサのみの検知に基づいて光源の点灯状態を制御するテストモードに設定するセンサユニットとを具備しているものであり、液晶表示器などを用いなくても、テストモードを容易に設定可能で、安価に構成される。
【００１３】
なお、複数のスイッチの特定の切換位置とは、例えば各スイッチともそれぞれ３箇所の切換位置に切換可能であれば、それらのうちの中央の切換位置を特定の切換位置としてもよい。
【００１４】
請求項４記載の照明装置は、請求項１ないし３いずれか一記載の照明装置において、センサユニットは、確認手段を有し、外部操作によって光源が連続点灯しているときには確認手段を動作させるものであり、この状態を確認可能とする。
【００１５】
なお、外部操作とは、例えば壁スイッチなどの操作を含む。確認手段とは、スイッチユニットの動作状態を表示するためのパイロットランプのほか、どのような形態でもよい。
【発明の効果】
【００１６】
請求項１記載の照明装置によれば、複数のスイッチの組み合わせが設定可能な動作条件のときには設定された動作条件で光源の点灯状態を制御し、複数のスイッチの組み合わせが設定不可能な動作条件のときには光源を点滅させて報知するので、液晶表示器などを用いなくても、設定不可能な動作条件を設定してしまうことがなく、安価にできる。
【００１７】
請求項２記載の照明装置によれば、複数のスイッチの組み合わせが設定可能な動作条件のときには設定された動作条件で光源の点灯状態を制御し、複数のスイッチの組み合わせが設定不可能な動作条件のときには報知手段を動作させて報知するので、液晶表示器などを用いなくても、設定不可能な動作条件を設定してしまうことがなく、安価にできる。
【００１８】
請求項３記載の照明装置によれば、複数のスイッチを特定の切換位置に切り換えて組み合わせることで照度に関係なく人感センサのみの検知に基づいて光源の点灯状態を制御するテストモードに設定することができ、液晶表示器などを用いなくても、テストモードを容易に設定でき、安価にできる。
【００１９】
請求項４記載の照明装置によれば、請求項１ないし３いずれか一記載の照明装置の効果に加えて、外部操作によって光源が連続点灯しているときには、確認手段を動作させて確認できる。
【発明を実施するための最良の形態】
【００２０】
以下、本発明の一実施の形態を図面を参照して説明する。
【００２１】
図１ないし図６に照明装置の第１の実施の形態を示し、図１はセンサユニットの斜視図、図２は照明装置の正面図、図３は照明装置の側面図、図４はセンサユニットの３つのスイッチと設定項目との対応を示す表、図５はセンサユニットの周囲の明るさの設定を切にした場合の動作を示す表、図６はセンサユニットの周囲の明るさの設定を暗または明にした場合の動作を示す表である。
【００２２】
図２および図３に示すように、照明装置11は、照明器具12と、この照明器具12の点灯状態を人の検知有無や周囲の明るさに応じて自動制御するセンサユニット13とを有している。
【００２３】
照明器具12は、屋内用または屋外用の壁面取付形照明器具で、壁面に取り付けられる器具本体21を有し、この器具本体21内に例えば白熱電球などの光源22が配置され、この光源22を覆って器具本体21の前面にカバー体23が取り付けられている。このカバー体23は、光源22からの光を透過する透光性を有するカバー部24、このカバー部24を保持して器具本体21に取り付けられる枠部25を有している。
【００２４】
センサユニット13は、器具本体21の下部に突出した状態で取り付けられている。
【００２５】
また、図１に示すように、センサユニット13は、ケース31を有し、このケース31の上部に器具本体21に取り付けられるとともに内部通路を通じて配線可能とする筒状の連結部32が突設されている。ケース31の前面下部側には人感センサ部33が形成され、この人感センサ部33の下面には赤外線を透過する半球形状のレンズ34が取り付けられ、このレンズ34の内側に人感センサ35が配置されている。人感センサ35は、人を検知可能とする検知範囲を有し、検知範囲に侵入した人が発生する熱である赤外線を検知する。
【００２６】
ケース31には、人感センサ部33の前面側周囲に段部36が形成され、この段部36には、人感センサ35および照度センサ37の検知に基づいて光源22の点灯状態を制御する動作条件を切り換える３つのスイッチＡ，Ｂ，Ｃ、照明装置11が設置された周囲の明るさを検知する例えばＣｄｓなどの照度センサ37、センサユニット13の動作状態を表示する例えば緑色の発光ダイオードなどの報知手段および確認手段としてのパイロットランプ38が配設されている。
【００２７】
各スイッチＡ，Ｂ，Ｃは、スライド切換式で、３箇所の切換位置を有している。図４に示すように、スイッチＡは、明るさ検知をする／しないと明るさ検知をする場合の光源22をオン／オフする周囲の明るさとを設定するもので、「暗」「切」「明」を切換可能とする。例えば、「暗」は約１５ｌｘ、「明」は約４５ｌｘの明るさにそれぞれ設定し、「切」は明るさを検知しないに設定する。
【００２８】
スイッチＢは、光源22の点灯に関して、オン／オフ動作と周囲の明るさに応じた光源22の調光点灯動作とを設定するもので、「調光」「オン／オフ」「６時間調光」を切換可能とする。「オン／オフ」は全光点灯と消灯との切換に設定し、「調光」は明るさに応じて調光点灯に設定し、「６時間調光」は明るさが設定照度以下になると調光点灯させて原則６時間後に消灯するように制御するが、周囲が所定照度以上になると強制的に消灯するように設定する。
【００２９】
スイッチＣは、人感検知をする／しないと人感検知をする場合の人感センサ35の検知範囲から人が出てからの点灯保持時間を設定するもので、「１分」「人感切」「３分」を切換可能とする。「１分」「３分」はそれぞれ１分、３分に設定し、「人感切」は人の有無を検知しないに設定する。
【００３０】
そして、センサユニット13は図示しない制御部を有し、この制御部は、スイッチＡ，Ｂ，Ｃの組み合わせが設定可能な動作条件のときには設定された動作条件で光源22の点灯状態を制御し、スイッチＡ，Ｂ，Ｃの組み合わせが設定不可能な動作条件のときには光源22を点滅させる機能、スイッチＡ，Ｂ，Ｃを特定の切換位置つまり３箇所の切換位置のうちの中間の切換位置に切り換えて組み合わせることで照度に関係なく人感センサ35のみの検知に基づいて光源22の点灯状態を制御するテストモードに設定する機能などを有している。
【００３１】
また、照明装置11は、壁スイッチなどの外部操作によって光源22を連続点灯させることが可能となっている。そして、制御部は、外部操作によって光源22が連続点灯しているときには、パイロットランプ38を連続点灯させる機能を有している。
【００３２】
次に、スイッチＡ，Ｂ，Ｃの組み合わせによる動作条件の設定について説明する。
【００３３】
図５には、周囲の明るさを設定するスイッチＡを「切」の切換位置にした場合のスイッチＢ，Ｃの組み合わせを示す。
【００３４】
スイッチＢを「オン／オフ」にした場合に、スイッチＣを「１分」にすれば、周囲の明るさに関係なく、人を検知すると１分間全光点灯するように設定し、また、スイッチＣを「３分」にすれば、周囲の明るさに関係なく、人を検知すると３分間全光点灯するように設定し、また、スイッチＣを「人感切」にすれば、全てのスイッチＡ，Ｂ，Ｃが３箇所の切換位置のうちの中間の切換位置に組み合わされて、人感センサ35の検知範囲を確認するためのテストモードとなり、周囲の明るさに関係なく、人感センサ35の検知範囲内で人を検知すると５秒間全光点灯するように設定する。
【００３５】
スイッチＢを「調光」または「６時間調光」にした場合には、スイッチＡが「切」で周囲の明るさを検知しないに設定されていて、明るさに応じた調光点灯は設定できないため、つまり、スイッチＡ，Ｂ，Ｃの組み合わせが設定不可能な動作条件であるため、光源22を例えば２秒全光点灯、２秒消灯というように点滅を繰り返し、設定不可能な動作条件であることを報知する。
【００３６】
また、図６には、周囲の明るさを設定するスイッチＡを「暗」または「明」の切換位置にした場合のスイッチＢ，Ｃの組み合わせを示す。
【００３７】
スイッチＢを「オン／オフ」にした場合に、スイッチＣを「１分」にすれば、周囲の明るさが設定照度以下に暗くなると消灯待機し、人を検知すると１分間全光点灯するように設定し、また、スイッチＣを「３分」にすれば、周囲の明るさが設定照度以下に暗くなると消灯待機し、人を検知すると３分間全光点灯するように設定し、また、スイッチＣを「人感切」にすれば、周囲の明るさが設定照度以下に暗くなると全光点灯し、周囲の明るさが設定照度より明るくなると消灯するように設定する。
【００３８】
スイッチＢを「調光」にした場合に、スイッチＣを「１分」にすれば、周囲の明るさが設定照度以下に暗くなると調光点灯し、人を検知すると１分間全光点灯した後に調光点灯に戻り、周囲の明るさが設定照度より明るくなると消灯するように設定し、また、スイッチＣを「３分」にすれば、周囲の明るさが設定照度以下に暗くなると調光点灯し、人を検知すると３分間全光点灯した後に調光点灯に戻り、周囲の明るさが設定照度より明るくなると消灯するように設定し、また、スイッチＣを「人感切」にすれば、周囲の明るさが設定照度以下に暗くなると調光点灯し、周囲の明るさが設定照度より明るくなると消灯するように設定する。
【００３９】
スイッチＢを「６時間調光」にした場合に、スイッチＣを「１分」にすれば、周囲の明るさが設定照度以下に暗くなると調光点灯し、人を検知すると１分間全光点灯した後に調光点灯に戻り、原則６時間後に消灯し、消灯後に周囲の明るさが暗く人を検知すると１分間全光点灯するように設定し、また、スイッチＣを「３分」にすれば、周囲の明るさが設定照度以下に暗くなると調光点灯し、人を検知すると３分間全光点灯した後に調光点灯に戻り、原則６時間後に消灯し、消灯後に周囲の明るさが暗く人を検知すると３分間全光点灯するように設定し、また、スイッチＣを「人感切」にすれば、周囲の明るさが設定照度以下に暗くなると調光点灯し、原則６時間後に消灯するように設定する。なお、例外として、調光点灯後６時間経過未満の時点で、周囲が所定照度以上になると、強制的に消灯させる機能を有するものである。
【００４０】
このように、スイッチＡ，Ｂ，Ｃの組み合わせが設定可能な動作条件のときには設定された動作条件で光源22の点灯状態を制御し、スイッチＡ，Ｂ，Ｃの組み合わせが設定不可能な動作条件のときには光源22を点滅させて報知するので、液晶表示器などを用いなくても、設定不可能な動作条件を設定してしまうことがなく、安価にできる。
【００４１】
さらに、スイッチＡ，Ｂ，Ｃを特定の切換位置に切り換えて組み合わせることで、照度に関係なく人感センサ35のみの検知に基づいて光源22の点灯状態を制御するテストモード、つまり人感センサ35の検知範囲を確認するためのテストモードに設定することができ、液晶表示器などを用いなくても、テストモードを容易に設定できる。
【００４２】
また、外部操作によって光源22が連続点灯しているときには、パイロットランプ38を点灯させて確認できる。
【００４３】
なお、スイッチＡ，Ｂ，Ｃの組み合わせが設定不可能な動作条件のときには光源22を点滅させたが、スイッチＡ，Ｂ，Ｃの組み合わせが設定不可能な動作条件のときにはパイロットランプ38を点滅させて報知してもよく、あるいは、光源22とパイロットランプ38との両方を点滅させるようにしてもよく、これらの場合にも、液晶表示器などを用いなくても、設定不可能な動作条件を設定してしまうのを防止できる。
【００４４】
また、センサユニット13は、３つのスイッチＡ，Ｂ，Ｃで動作条件を設定したが、２つのスイッチＡ，Ｃのみで動作条件を設定してもよい。
【００４５】
図７には、２つのスイッチＡ，Ｃの組み合わせによる動作条件の設定を示す。
【００４６】
スイッチＡを「暗」とした場合に、スイッチＣを「１分」にすれば、周囲の明るさが設定照度の約１５ｌｘ以下に暗くなると消灯待機し、人を検知すると１分間全光点灯するように設定し、また、スイッチＣを「３分」にすれば、周囲の明るさが設定照度の約１５ｌｘ以下に暗くなると消灯待機し、人を検知すると３分間全光点灯するように設定し、また、スイッチＣを「人感切」にすれば、周囲の明るさが設定照度の約１５ｌｘ以下に暗くなると全光点灯し、周囲の明るさが設定照度の約１５ｌｘより明るくなると消灯するように設定する。
【００４７】
スイッチＡを「切」とした場合に、スイッチＣを「１分」にすれば、周囲の明るさに関係なく、人を検知すると１分間全光点灯するように設定し、また、スイッチＣを「３分」にすれば、周囲の明るさに関係なく、人を検知すると３分間全光点灯するように設定し、また、スイッチＣを「人感切」にすれば、スイッチＡ，Ｃが３箇所の切換位置のうちの中間の切換位置に組み合わされて、人感センサ35の検知範囲を確認するためのテストモードとなり、周囲の明るさに関係なく、人感センサ35の検知範囲内で人を検知すると５秒間全光点灯するように設定する。
【００４８】
スイッチＡを「明」とした場合に、スイッチＣを「１分」にすれば、周囲の明るさが設定照度の約４５ｌｘ以下に暗くなると消灯待機し、人を検知すると１分間全光点灯するように設定し、また、スイッチＣを「３分」にすれば、周囲の明るさが設定照度の約４５ｌｘ以下に暗くなると消灯待機し、人を検知すると３分間全光点灯するように設定し、また、スイッチＣを「人感切」にすれば、周囲の明るさが設定照度の約４５ｌｘ以下に暗くなると全光点灯し、周囲の明るさが設定照度の約４５ｌｘより明るくなると消灯するように設定する。
【図面の簡単な説明】
【００４９】
【図１】本発明の照明装置の第１の実施の形態を示すセンサユニットの斜視図である。
【図２】同上照明装置の正面図である。
【図３】同上照明装置の側面図である。
【図４】同上センサユニットの３つのスイッチと設定項目との対応を示す表である。
【図５】同上センサユニットの周囲の明るさの設定を切にした場合の動作を示す表である。
【図６】同上センサユニットの周囲の明るさの設定を暗または明にした場合の動作を示す表である。
【図７】第２の実施の形態を示すセンサユニットの２つのスイッチを用いた場合の動作を示す表である。
【符号の説明】
【００５０】
11    照明装置
12    照明器具
13    センサユニット
22    光源
35    人感センサ
37    照度センサ
38    報知手段および確認手段としてのパイロットランプ
Ａ，Ｂ，Ｃ    スイッチ
【図１】
2006210270.tif 000003
【図２】
2006210270.tif 000004
【図３】
2006210270.tif 000005
【図４】
2006210270.tif 000006
【図５】
2006210270.tif 000007
【図６】
2006210270.tif 000008
【図７】
2006210270.tif 000009